(57)【要約】【課題】第１部材と第２部材がパッキンを介して互いに接合されている電子機器において、目視によってもパッキンの捻れの有無を容易に検査することが出来る防水構造を提供する。【解決手段】本発明に係る小型電子機器の防水構造においては、パッキン５の外周面が、パッキン５の延在方向に延びる複数の外周面領域に分割され、各外周面領域に互いに異なる色が付与されている。【選択図】図６
2010096316.tif 000002
【特許請求の範囲】
【請求項１】
第１部材と第２部材がパッキンを介して互いに接合されている電子機器の防水構造において、前記パッキンの外周面は、パッキンの延在方向に延びる複数の外周面領域に分割され、各外周面領域に互いに異なる色が付与されていることを特徴とする小型電子機器の防水構造。
【請求項２】
第１部材と第２部材の内、何れか一方の部材には、前記パッキンを嵌合させる凹部が形成され、前記パッキンの外周面は、パッキンが前記凹部に嵌合した状態で凹部の内側へ向く第１外周面領域と凹部の外側へ向く第２外周面領域とから構成される請求項１に記載の防水構造。
【請求項３】
前記パッキンは二色成形によって形成され、互いに色の異なる第１成形部と第２成形部を有し、第１成形部の表面によって前記第１外周面領域が形成されると共に、第２成形部の表面によって前記第２外周面領域が形成されている請求項２に記載の防水構造。
【発明の詳細な説明】
【技術分野】
【０００１】
本発明は、携帯電話機等の小型電子機器の防水構造に関するものである。
【背景技術】
【０００２】
この種の小型電子機器においては、図１２の如く第１キャビネット半体(91)と第２キャビネット半体(92)を互いに接合してキャビネット本体(９)を構成することが行なわれているが、この様な小型電子機器に防水性を付与するために、第１キャビネット半体(91)と第２キャビネット半体(92)の間にシールパッキン(90)を介在させた構造が採用される(特許文献１)。
【０００３】
第１キャビネット半体(91)の接合面には凹部(93)が形成されて、該凹部(93)にシールパッキン(90)が嵌合する一方、第２キャビネット半体(92)の接合面には凸部(94)が形成されており、両キャビネット半体(91)(92)が接合されることによって、前記凸部(94)が凹部(93)内のシールパッキン(90)を押圧し、シールパッキン(90)を弾性変形させることによって、高いシール性を実現している。
【特許文献１】特開２００４−１０８４６９号公報
【発明の開示】
【発明が解決しようとする課題】
【０００４】
しかしながら、シールパッキン(90)は、その断面積に対してその延在方向の長さ(周長さ)が大きくなるについて、捻れが生じ易くなり、シールパッキン(90)に捻れが生じたまま第１キャビネット半体(91)と第２キャビネット半体(92)を接合した場合、シールパッキン(90)の捻れ部分でシール性が低下し、防水機能が損なわれる問題がある。
従来は、目視によってシールパッキンの捻れの有無を検査していたが、特にシールパッキン(90)の直径が例えば１ｍｍ以下と小さい場合は、目視による捻れの発見は困難であった。
【０００５】
そこで本発明の目的は、第１部材と第２部材がパッキンを介して互いに接合されている小型電子機器において、目視によってもパッキンの捻れの有無を容易に検査することが出来る防水構造を提供することである。
【課題を解決するための手段】
【０００６】
本発明に係る小型電子機器の防水構造においては、パッキンの外周面が、パッキンの延在方向に延びる複数の外周面領域に分割され、各外周面領域に互いに異なる色が付与されている。
【０００７】
本発明に係る小型電子機器の防水構造によれば、パッキンに捻れが生じていない場合は、パッキンの各外周面領域は直線上を真っ直ぐに延びているので、各外周面領域の色が直線模様若しくは縞模様を形成しているが、パッキンに捻れが生じている場合は、その捻れ部分で各外周面領域が屈曲するため、捻れが生じていない部分の直線模様若しくは縞模様に対して部分的な乱れが生じることになる。この乱れは容易に視認することが可能であり、これによってパッキンに捻れが生じていることを発見することが出来る。
【０００８】
具体的構成において、第１部材と第２部材の内、何れか一方の部材には、前記パッキンを嵌合させる凹部が形成され、前記パッキンの外周面は、パッキンが前記凹部に嵌合した状態で凹部の内側へ向く第１外周面領域と凹部の外側へ向く第２外周面領域とから構成される。
【０００９】
該具体的構成によれば、パッキンに捻れが生じてない場合は、第１外周面領域はその全長に亘って凹部内に埋没し、第２外周面領域のみがその全長に亘って露出し、第２外周面領域の色のみが視認される。これに対し、パッキンに捻れが生じている場合は、その捻れ部分で第２外周面領域が凹部内に埋没し、第１外周面領域が凹部から露出するので、捻れ部分では、第１外周面領域の色が視認されることになる。従って、第１外周面領域の色が視認される部分でパッキンに捻れが生じていると判断することが出来る。
【００１０】
更に具体的な構成において、前記パッキンは二色成形によって形成され、互いに色の異なる第１成形部と第２成形部を有し、第１成形部の表面によって前記第１外周面領域が形成されると共に、第２成形部の表面によって前記第２外周面領域が形成されている。
【００１１】
該具体的構成によれば、パッキンの外周面を容易に第１外周面領域と第２外周面領域に分割して、第１外周面領域と第２外周面領域に異なる色を付与することが出来る。
【発明の効果】
【００１２】
本発明に係る小型電子機器の防水構造によれば、目視によってパッキンの捻れの有無を容易に検査することが出来る。
【発明を実施するための最良の形態】
【００１３】
以下、本発明を携帯電話機に実施した形態につき、図面に沿って具体的に説明する。
本発明に係る一実施形態である携帯電話機は、図１及び図２に示す如く第１本体(１)と第２本体(２)とが互いにスライド可能に係合して構成され、図１の如く、第１本体(１)の表面には複数の操作キー(11)が配備され、第２本体(２)の表面にはディスプレイ(21)が配備されている。
【００１４】
第１本体(１)は第１キャビネット半体(３)と第２キャビネット半体(４)を互いに接合してなるキャビネット構造を有している。又、第２本体(２)も同様のキャビネット構造を有している。
【００１５】
図３に示す如く、第１本体(１)を構成する第１キャビネット半体(３)と第２キャビネット半体(４)はシリコンゴム製の環状シールパッキン(５)を介して互いに接合されている。
第１キャビネット半体(３)の周壁(31)には、シールパッキン(５)を嵌合させるべき凹部(32)が形成されている。
【００１６】
一方、図４の如く、第２キャビネット半体(４)の周壁(41)には、前記第１キャビネット半体(３)の凹部(32)に嵌合するシールパッキン(５)を押圧すべき凸部(42)が形成されている。
【００１７】
シールパッキン(５)は、互いに異なる色を有する２種類の材料を用いた二色成形によって断面円形に形成されており、図５及び図６に示す如く、それぞれ断面が半円形の第１成形部(51)と第２成形部(52)を有し、第１成形部(51)の外周面と第２成形部(52)の外周面には異なる色が付与されている。
尚、図３乃至図８において、第２成形部(52)の表面及び断面にはハッチングを施して、第１成形部(51)の表面及び断面と区別している。
【００１８】
シールパッキン(５)は、図６に示す如く第１キャビネット半体(３)の凹部(32)に嵌合した状態で、第１成形部(51)は凹部(32)内に埋没し、第２成形部(52)は凹部(32)から露出する。
【００１９】
この状態で、第１キャビネット半体(３)と第２キャビネット半体(４)とが互いに接合されることによって、第１キャビネット半体(３)の凹部(32)内のシールパッキン(５)が第２キャビネット半体(４)の凸部(42)によって押圧され、弾性変形する。
この結果、シールパッキン(５)の弾性反発力により、シールパッキン(５)の外周面が第１キャビネット半体(３)の凹部(32)の両側壁及び底壁に圧接されると共に、第２キャビネット半体(４)の凸部(42)の先端面に圧接されて、高いシール性が発揮される。
【００２０】
図７は、第１キャビネット半体(３)の凹部(32)にシールパッキン(５)を嵌合させた状態を表わしている。
このとき、図８(ａ)の如くシールパッキン(５)に捻れが生じていなければ、シールパッキン(５)の第１成形部(51)はその全長に亘って凹部(32)内に埋没し、第２成形部(52)のみがその全長に亘って露出し、第２成形部(52)の外周面の色のみが視認される。
【００２１】
これに対し、図８(ｂ)の如くシールパッキン(５)に捻れＲが生じている場合は、その捻れ部分で第２成形部(52)が埋没し、第１成形部(51)が露出するので、捻れ部分では、第１成形部(51)の色が視認されることになる。
従って、第１成形部(51)の色が視認される部分でシールパッキン(５)に捻れＲが生じていると判断することが出来る。
【００２２】
上述の二色成形のシールパッキン(５)を用いた防水構造は、第１本体(１)のみならず、第２本体(２)にも採用されている。
【００２３】
又、本発明の一実施形態である携帯電話機においては、図９(ａ)(ｂ)に示す如く第１本体(１)の側面に、コネクター(８)を必要に応じて露出させる蓋部材(６)が開閉可能に取り付けられている。
【００２４】
蓋部材(６)は、図１０及び図１１に示す如く、カバー部(61)の内面に嵌合部(62)を突設すると共に、カバー部(61)の一端に支持アーム部(64)を突設して構成され、嵌合部(62)の外周面には周溝(63)が凹設され、該周溝(63)にシールパッキン(７)が嵌合している。
蓋部材(６)を図９(ａ)の如く閉じることによって、蓋部材(６)に装着されたシールパッキン(７)がシール性を発揮して、防水が図られる。
【００２５】
シールパッキン(７)は、図５に示すシールパッキン(５)と同様に二色成形によって形成され、互いに色の異なる第１成形部と第２成形部から構成されており、捻れの生じていない状態では第２成形部のみが露出するが、シールパッキン(７)に捻れが発生すると、その捻れ部分で第１成形部が露出することにより、捻れの発生を発見することが出来る。
【００２６】
上述の携帯電話機によれば、シールパッキン(５)(７)の装着時に、目視によってシールパッキン(５)(７)の捻れの有無を容易に検査することが出来、これによって確実な防水を図ることが出来る。
【００２７】
尚、本発明の各部構成は上記実施の形態に限らず、特許請求の範囲に記載の技術的範囲内で種々の変形が可能である。
例えば、上記実施形態では、シールパッキンを二色成形によって色の異なる第１成形部と第２成形部から構成しているが、シールパッキンを単一の材料から形成し、その外周面に塗装等で着色を施すことによって、色の異なる２つの外周面領域を形成することも可能である。
【００２８】
又、シールパッキンの外周面には、３つ以上の色の異なる外周面領域を形成することも可能である。
又、シールパッキンの外周面を構成する複数の外周面領域は、互いに等しい角度の円弧面状領域として形成する構成に限らず、互いに異なる角度の円弧面状領域として形成することも可能である。
【００２９】
更に又、シールパッキンは断面円形に限らず、その他の公知の断面形状を有するシールパッキンを採用することが出来る。
【図面の簡単な説明】
【００３０】
【図１】本発明の一実施形態である携帯電話機を表面側から見た斜視図である。
【図２】該携帯電話機を背面側から見た斜視図である。
【図３】該携帯電話機を構成する第１本体を表面側から見た分解斜視図である。
【図４】該携帯電話機を構成する第１本体を背面側から見た分解斜視図である。
【図５】シールパッキンの延在方向と沿う断面図である。
【図６】シールパッキンの延在方向とは直交する断面図である。
【図７】シールパッキンの装着状態を示す図である。
【図８】シールパッキンに捻れが存在しない場合(ａ)と捻れが存在する場合(ｂ)の装着状態を模式的に示す説明図である。
【図９】蓋部材の開閉動作を説明する斜視図である。
【図１０】蓋部材の拡大斜視図である。
【図１１】蓋部材からシールパッキンを取り外した状態の拡大斜視図である。
【図１２】従来のシールパッキンを用いた防水構造を示す断面図である。
【符号の説明】
【００３１】
(１)  第１本体
(２)  第２本体
(３)  第１キャビネット半体
(31)  周壁
(32)  凹部
(４)  第２キャビネット半体
(41)  周壁
(42)  凸部
(５)  シールパッキン
(51)  第１成形部
(52)  第２成形部
Ｒ  捻れ部
【図１】
2010096316.tif 000003
【図２】
2010096316.tif 000004
【図３】
2010096316.tif 000005
【図４】
2010096316.tif 000006
【図５】
2010096316.tif 000007
【図６】
2010096316.tif 000008
【図７】
2010096316.tif 000009
【図８】
2010096316.tif 000010
【図９】
2010096316.tif 000011
【図１０】
2010096316.tif 000012
【図１１】
2010096316.tif 000013
【図１２】
2010096316.tif 000014